(57)【要約】      （修正有）【課題】本発明は、オートバイのハンドル等の二輪車にカメラ付携帯電話やスマートフォン等の薄型携帯電子機器を取り付けた場合でも、二輪車の振動が携帯電子機器に伝わらないようにした二輪車の携帯電子機器保持具を提供することを目的とする。【解決手段】二輪車のハンドルバーに携帯電子機器５を取り付けるための挟持部材、支持部材、および、開口部８と有底収容部１とからなる保持部材、から構成される保持具において、有底収容部１は、枠体および発泡プラスチック層２と滑り止めゴム層３の積層体４からなり、携帯電子機器５の撮影レンズ６に対応する開孔部７および携帯電子機器５の液晶表示面に対応する開口部８を有し、枠体の開孔部７および開口部８における発泡プラスチック層２が元の厚さの１／２以上の割合で圧縮されていることを特徴とする。【選択図】図１
2019014293.tif 000002
【特許請求の範囲】
【請求項１】
二輪車のハンドルバーに携帯電子機器を取り付けるための挟持部材、支持部材、および、開口部と有底収容部とからなる保持部材、から構成される保持具において、当該有底収容部は、枠体および発泡プラスチック層と滑り止めゴム層の積層体からなり、当該携帯電子機器の撮影レンズに対応する開孔部および当該携帯電子機器の液晶表示面に対応する開口部を有し、当該枠体の開孔部および開口部における発泡プラスチック層が元の厚さの１／２以上の割合で圧縮されていることを特徴とする携帯電子機器保持具。
【請求項２】
上記開孔部が２本の弾性帯を有し、当該弾性帯の空隙が携帯電子機器の幅よりも狭いことを特徴とする請求項１に記載の携帯電子機器保持具。
【請求項３】
上記開孔部に透明フィルムが載置されていることを特徴とする請求項１に記載の携帯電子機器保持具。
【発明の詳細な説明】
【技術分野】
【０００１】
本発明は、二輪車の携帯電子機器保持具、特に自動二輪車の走行時において携帯電子機器による撮影に適した携帯電子機器保持具に関する。
【背景技術】
【０００２】
従来から、スポーツサイクリング車やオートバイ等の自動二輪車のハンドルバーに携帯電子機器を取り付けるための保持具は様々なものが考えられ、また、市販の計器保持具や照明灯保持具を代用して携帯電子機器保持具へ利用することが考えられてきた。例えば、特開平２−１６２１７６号公報（後述する特許文献１）の特許請求の範囲（１）には「自転車のハンドル適所に装着される可撓性の取付ブラケットと、該取付ブラケットの外面に取付位置を可変して着脱されるサブブラケットと、該サブブラケットに着脱されるライトとから成るライトの取付装置」が開示されている。
【０００３】
また、特開平０３−７０６４１号公報（後述する特許文献２）の特許請求の範囲には「ハンドルに設けたブラケットに前照灯を着脱するものにおいて前記前照灯の本体ケース上面に前記ブラケットの両側を摺動せしめる摺動溝を形成すると共に該摺動溝の下方に前記ブラケットの端縁を係止するホルダーを配設し、該ホルダーには前記前照灯の電球への通電を制御する電気部品を備えた基板を設けたことを特徴とする前照灯取付装置」が開示されている。
【０００４】
これらの先行技術文献によると、「使用者はバッテリーライトをハンドルのどの位置にでも簡単に且つ単一部材を使用して取り付けることができる」効果を奏し、また、「ホルダーで基板を保持すると共に前照灯をハンドルのブラケットに保持できる」効果をそれぞれ奏する。しかしながら、特開平２−１６２１７６号公報（後述する特許文献１）の第１図および特開平０３−７０６４１号公報（後述する特許文献２）の第３図に示されるように、これらの先行技術文献では自転車の振動が直接ライトや前照灯に伝わってしまう課題がある。このため、ライトや前照灯を携帯電子機器に置き換えた場合、携帯電子機器で写真や動画をうまく撮影することができないことは明らかである。
【０００５】
また、特開２００１−４８０７８号公報（後述する特許文献３）の請求項１には「車体前部をカウリングで覆い、このカウリングの内部にヘッドランプ内蔵のヘッドランプハウジングとスピードメータ等の計器盤とをそれぞれ備えた自動二輪車において、自動二輪車のフレームのヘッドパイプから前方に突設したカウリングブレースに支持された上記ヘッドランプハウジングの後部上方に一体的に突設した上ブラケットと下ブラケットに上記計器盤を取り付ける取付装置であって、上部を該上ブラケットに対応する上記計器盤の裏面から一体に突設したフック片を上ブラケットにクッションゴムを介して嵌挿係止し、下部は下方に突設した下ステーを上記下ブラケットに螺子で螺着して取り付けたことを特徴とする自動二輪車の計器盤取付装置」が開示されている。
【０００６】
この先行技術文献によると、計器盤を簡単に着脱することができるので、計器盤を携帯電子機器に置き換えることが可能である。しかしながら、この自動二輪車の計器盤取付装置は計器盤を後方一個所だけ螺子で螺着する（同公報００１４段落）ので、螺着するための螺子を設ける必要があり、薄型携帯電子機器を損傷する。また、「車体の振動を軽減することができる（同公報０００８段落）」だけなので、車体の振動によって撮影レンズがぶれる課題がある。このためこのやり方でも携帯電子機器で写真や動画をうまく撮影することができない。
【０００７】
また、特開２０１７−６７１９２号公報（後述する特許文献４）の請求項１には「柱状の支持体に柱状の被保持物を結束バンドを用いて結束して保持させる保持具であって、弾性材で成る直方体形状のクッション部材と、前記クッション部材の外周面に結合されるリング部材と、を備え、前記クッション部材は、対向する２つの平面を前面および後面としたとき、前記２つの平面に上面視で弧状の凹部を有し、かつ、左側および右側の２つの側面に前記結束バンドが通るためのバンド用凹部を有し、前記リング部材は、前記バンド用凹部を通る前記結束バンドの外面に当接して該結束バンドの拡がりを規制することを特徴とする保持具」が開示されている。
【０００８】
この先行技術文献によると、「リング部材が結束バンドの配索形状を規制して大きな支持体や被保持物に対する結束バンドの接触面積を確保し、クッション部材が弾性変形して密着面を増大するので、サイズが異なる種々の支持体と被保持物に適用できる（同公報００１０段落）」効果を奏するとされる。しかしながら、同公報図９に示されるように、被保持物９２に薄型携帯電子機器を用いた場合、車体の振動によって撮影レンズがハンドルとともにぶれる課題がある。このため、この方法でもうまく撮影することができない。
【先行技術文献】
【特許文献】
【０００９】
【特許文献１】特開平２−１６２１７６号公報
【特許文献２】特開平３−７０６４１号公報
【特許文献３】特開２００１−４８０７８号公報
【特許文献４】特開２０１７−６７１９２号公報
【発明の概要】
【発明が解決しようとする課題】
【００１０】
本発明は、上記課題にかんがみてなされたものであり、オートバイのハンドル等の二輪車にカメラ付携帯電話やスマートフォン等の薄型携帯電子機器を取り付けた場合でも、二輪車の車体の振動が携帯電子機器に伝わらないようにした二輪車の携帯電子機器保持具を提供することを目的とする。
【課題を解決するための手段】
【００１１】
本発明の自動二輪車の携帯電子機器保持具は、二輪車のハンドルバーに携帯電子機器を取り付けるための挟持部材、支持部材、および、開口部と有底収容部とからなる保持部材、から構成される保持具において、当該有底収容部は、枠体および発泡プラスチック層と滑り止めゴム層の積層体からなり、当該携帯電子機器の撮影レンズに対応する開孔部および当該携帯電子機器の液晶表示面に対応する開口部を有し、当該枠体の開孔部および開口部における発泡プラスチック層が元の厚さの１／２以上の割合で圧縮されていることを特徴とする。
【００１２】
また、本発明の好ましい実施態様は以下のとおりである。
携帯電子機器保持具の上記開孔部が２本の弾性帯を有し、当該弾性帯の空隙が携帯電子機器の幅よりも狭いことが好ましい。また、上記撮影レンズ孔に透明フィルムが載置されていることが好ましい。
【００１３】
本発明の携帯電子機器保持具において、有底収容部の表面が滑り止めゴム層としたのは、携帯電子機器の両側から滑り止めゴム層によって携帯電子機器の広い面積を面接触させるためである。後述するように、押圧力をかけながら面接触させることによって、自動二輪車の走行時でも携帯電子機器が保持具から滑りにくくなるからである。
【００１４】
本発明の携帯電子機器保持具において、滑り止めゴム層を発泡プラスチック層と滑り止めゴム層の積層体としたのは、発泡プラスチック層によって走行時の振動を吸収し携帯電子機器に振動が伝わらないようにするためだけでなく、圧縮された発泡プラスチック層の元に戻る弾性力によって携帯電子機器を押圧するためである。二輪車からの車体の振動が携帯電子機器保持具の枠体に伝わって枠体が振動しても、発泡プラスチック層がこの振動を吸収して滑り止めゴム層にこの振動が伝わらないので携帯電子機器は固定されたままである。仮に大きな振動が携帯電子機器まで表面側から伝わったとしても、携帯電子機器は両側から滑り止めゴム層に挟まれているので裏面側の発泡プラスチック層がこの振動の波を干渉し吸収する。滑り止めゴム層から携帯電子機器へ振動が伝播するのを避けるため積層体は分割されていることが好ましい。より好ましくは、４分割以上に切れ目が入っていることである。なお、防振ゴムだけの構成では、防振ゴム層から携帯電子機器へ振動が伝播するのを避けることができない。
【００１５】
上記の押圧力をもたせるため枠体の開孔部および開口部における発泡プラスチック層が元の厚さの１／２以上の割合で圧縮されていること、つまり、発泡プラスチック層を圧縮状態とし、その反発力を利用して携帯電子機器を押圧することとした。発泡プラスチック層としては弾力性が必要である。発泡プラスチックとしては、軟質ポリウレタンフォームやスポンジエラストマーやシリコンフォームなどがある。加工しやすさや価格などの点からスポンジゴムが好ましい。また、発泡プラスチック層が元の厚さの１／３以上の割合で圧縮されていることが好ましく、より好ましくは１／４以上の割合で圧縮されていることである。
【００１６】
本発明の携帯電子機器保持具において、携帯電子機器の撮影レンズに対応する開孔部および当該携帯電子機器の液晶表示面に対応する開口部を有するのは、撮影する撮影レンズの角度や位置を開口部の液晶表示面で確認するためである。また、保持具が二輪車のハンドルバーに携帯電子機器を取り付けるための挟持部材、支持部材、および、開口部と有底収容部とからなることとしたのは、照明灯などで用いられてきた従来技術を本発明の携帯電子機器保持具にそのまま用いるためである。
【００１７】
本発明の携帯電子機器保持具において、上記開孔部が２本の弾性帯を有することが好ましいとしたのは、二輪車が穴にはまったり、段差を通過してしまったりするなどして大きな衝撃を受けた場合の対策である。二輪車の走行中に突然大きな衝撃を受けると、本発明の携帯電子機器保持具から携帯電子機器が飛び出すおそれがある。そこで、開孔部に簡易的に２本の弾性帯を有することとし、弾性帯の空隙が携帯電子機器の幅よりも狭いこととし、突然の衝撃から携帯電子機器が飛び出さないようにした。開閉式のドア構造やはめ合わせ構造などとすることもできる。
【００１８】
また、開口部と有底収容部が階段状のようにすることもできる。すなわち、携帯電子機器が突然の衝撃を受けても、枠体の開孔部側および開口部側の上下方向から携帯電子機器が飛び出すことがない構造である。本発明の携帯電子機器保持具が長くなるものの、水平方向の飛び出しを防止するため開口部と有底収容部を階段状にして有底収容部の両側の枠体によって突然の衝撃から携帯電子機器が飛び出さないようにすることができる。
【００１９】
また、本発明の携帯電子機器保持具において、上記開孔部に透明フィルムが載置されていることを好ましいとしたのは、走行中に、ブヨや蚊や蛾などの小さな昆虫、あるいは、砂などが撮影レンズ面に当たり撮影レンズを汚すからである。撮影レンズ面に載置される透明フィルムは市販のラップフィルムや透明ビニールシートなど安価なものが利用できる。このような透明フィルムは薄く、撮影した電子画像からは透明フィルムの有無を判読することはできないからである。
【発明の効果】
【００２０】
本発明の携帯電子機器保持具によると、弾性力のある発泡プラスチック層のクッション作用によって二輪車の走行時の振動が吸収されるので、携帯電子機器に内蔵された手振れ防止機能によってぶれない写真や映像を撮影することができる効果がある。また、走行中に二輪車が突然の衝撃を受けても携帯電子機器が保持具から飛び出すことがない効果がある。また、本発明の携帯電子機器保持具に携帯電子機器を入れて長期間使用しても、走行時の振動が携帯電子機器に伝わらないので携帯電子機器の内部配線を断線しない効果がある。さらに、安価な透明フィルムを本発明の開孔部に載置しておくと撮影レンズ面を汚すことがないので、撮影レンズ面を傷つけない効果がある。
【図面の簡単な説明】
【００２１】
【図１】本発明の実施形態に係る自動二輪車の携帯電子機器保持具の有底収容部の概略図である。
【図２】本発明の実施形態に係る二輪車のハンドルバーに保持具を取り付けた本発明の１実施形態である。
【図３】本発明の他の実施形態に係る携帯電子機器保持具の概略図である。
【００２２】
図１は、本発明の実施形態に係る自動二輪車の携帯電子機器保持具の有底収容部（１）の概略図である。この有底収容部（１）は、枠体の内周が発泡プラスチック層（２）および滑り止めゴム層（３）の積層体（４）によって被覆されている。そして、この有底収容部（１）に携帯電子機器（５）を挿入した場合、携帯電子機器（５）の撮影レンズ（６）に対応して開孔部（７）が設けられ、かつ、携帯電子機器の液晶表示面に対応して開口部（８）が設けられている。この積層体（４）は、開口部（８）側に４マス以上の複数の切れ目（縦６マス、横８マス）があり、開孔部（７）側に４マス以上の複数の切れ目（縦４マス、横５マス）がある。これらの切れ目によって振動が分散されるようになっている。また、この積層体（４）の発泡プラスチック層（２）の厚さは元の厚さよりも８０％程度圧縮されている。５０％以上圧縮されていれば面接触するので、携帯電子機器（５）の滑りを止めるのに十分である。
【００２３】
有底収容部（１）の一端には２本の弾性帯（９）があり、この弾性帯の伸びを利用して携帯電子機器（５）を有底収容部（１）の内部へ案内することができる。また、内側の２本の弾性帯（９）の空隙は携帯電子機器（５）の幅よりも狭いので、自動二輪車の本体に水平方向の大きな衝撃がかかっても携帯電子機器（５）が有底収容部（１）から飛び出すことはない。
【００２４】
また、図示していないが、有底収容部（１）に設けられた開孔部（７）に透明フィルムを設けることができる。この開孔部（７）は携帯電子機器（５）の撮影レンズ（６）に位置するので、撮影レンズ（６）に透明フィルムが載置されていることになる。この透明フィルムがあると、自動二輪車の走行時に塵埃や虫などによって撮影レンズ（６）の損傷や汚れを防ぐことができる。また、この透明フィルムによって撮像画質が劣化することもない。透明フィルムは食品ラップフィルムでもレジ袋などでも用いることができる。
【００２５】
図２は、実開昭５９−９２０７５号公報の図面に例示されるように、本発明に係る二輪車のハンドルバー（１０）に保持具（１１）を取り付けた１実施形態である。この保持具（１１）は、挟持部材（１２）、支持部材（１３）、および、保持部材（１４）から構成される。挟持部材（１２）はＣ字状の略円筒体であり、開放端をねじ（１５）で締め付けることによって任意の位置でハンドルバー（１０）に挟持される。また、特開２０１４−９７７９６号公報の図に示すように、携帯電子機器（５）の保持具（１１）を保持部材（１４）から回動自在に構成することもできる。
【００２６】
図３は、本発明の実施形態に係る自動二輪車の携帯電子機器（５）の保持具（１１）の他の概略図である。この保持具（１１）は、実用新案登録第３１８５３６９号公報の図に示されているように、保持具（１１）の開口部が金属金具（１５）でふさがれており、携帯電子機器（５）が有底収容部（１）から飛び出すことはない。
【００２７】
上記の実施態様の説明から明らかなように、本発明における二輪車の携帯電子機器保持具は、二輪車のハンドル部へ任意の位置および角度で固定することができ、動画や静止画を撮影・保存することができる。また、走行時の二輪車本体の振動が携帯電子機器保持具の枠体に伝わっても、これまでの保持具のように携帯電子機器に直接伝わることがない。また、大きな振動があっても、発泡プラスチック層と滑り止めゴム層の積層体によって振動から携帯電子機器が保持され、走行時の振動によって携帯電子機器が劣化することはない。
【産業上の利用分野】
【００２８】
本発明における二輪車の携帯電子機器保持具は、オートバイ、バイク、スクータなどの自動二輪車だけでなく、スポーツ二輪車やサイクリング車や電動自転車などの用途にも利用することができる。
【符号の説明】
【００２９】
１：有底収容部
２：発泡プラスチック層
３：滑り止めゴム層
７：開孔部
８：開口部
【図１】
2019014293.tif 000003
【図２】
2019014293.tif 000004
【図３】
2019014293.tif 000005